(57)【要約】【課題】使用者が椅子に座った状態で使用できるようにして利便性を高めつつ、使用者の荷重によって変形したり破損したりすることを防止することができるとともに、気密性を高いレベルで維持することが可能なエアーチャンバ装置を提供する。【解決手段】エアーチャンバ装置１は、内部を高気圧に維持するエアーチャンバ２と、エアーチャンバ２を支持して固定する固定架台３とからなっている。エアーチャンバ２は、シート状の可撓性材１０でその内部が覆われ、その一部に、使用者が出入りするためのスライド引戸１１が設けられている。エアーチャンバ装置１は、内部に備えられた椅子に使用者が座って使用される。【選択図】図１
2010213753.tif 000002
【特許請求の範囲】
【請求項１】
シート状の可撓性材と、前記可撓性材の形状を保持するチャンバフレームとを備えたエアーチャンバと、前記エアーチャンバを支持して固定する固定架台とを有するエアーチャンバ装置であって、前記エアーチャンバは、その長手方向が、床面に対して垂直となるように立設され、または床面に垂直な方向に対して傾斜されて配置されていることを特徴とするエアーチャンバ装置。
【請求項２】
前記可撓性材に荷重伝達開口が設けられ、前記荷重伝達開口を貫通する荷重伝達バルブが、エアーチャンバ内に設置された椅子からの荷重を受ける椅子荷重支持フレームに取付られて、前記チャンバフレームと前記固定架台とが連結されていることを特徴とする請求項１記載のエアーチャンバ装置。
【請求項３】
前記チャンバフレームにスライド引戸ガイドレールが取付られ、前記スライド引戸ガイドレールに回転吊戸車が取付られて、前記回転吊戸車の転動によってスライド引戸が開閉され、前記回転吊戸車に対して振止め戸車が取付られていることを特徴とする請求項１または２記載のエアーチャンバ装置。
【請求項４】
前記スライド引戸にはスライド引戸を開閉するためのレバーハンドルが取付られ、前記チャンバフレームのうち、前記スライド引戸が設けられる開口部の開口端に沿って、機密性を保つためにゴムパッキンが設けられ、前記チャンバフレームのスライド引戸縦枠フレームにレバーハンドル受けが設けられ、前記スライド引戸を回転すると、前記レバーハンドルの接合部が前記レバーハンドル受けに係止され、前記スライド引戸は前記ゴムパッキンと密着して前記レバーハンドルが閉じられた状態となることを特徴とする請求項３記載のエアーチャンバ装置。
【発明の詳細な説明】
【技術分野】
【０００１】
本発明は、疲労回復等の目的で血液の循環を促進するために用いられるエアーチャンバ装置に関する。
【背景技術】
【０００２】
近年、メタボリック症候群の対策や、ストレス社会における心身疲労の回復等の目的で、高気圧・高濃度酸素環境下で、溶解型酸素、すなわち血液に直接溶け込む酸素を人体に多く取り込んで、血液循環を促進するエアーチャンバ装置が注目されている。
このようなエアーチャンバ装置は、持ち運びに便利なように、軽量で可撓性を有する素材で形成されるケースが多い。
エアーチャンバ装置に関する技術の一例が、特許文献１、特許文献２に記載されている。
【先行技術文献】
【特許文献】
【０００３】
【特許文献１】特開２００５−３１９０７７号公報
【特許文献２】特開２００５−３４８８１７号公報
【発明の概要】
【発明が解決しようとする課題】
【０００４】
特許文献１に記載のものは、可撓性素材を用いて円筒形のエアーチャンバを作製し、これを横向きに配置して使用するものであるが、このようにすると、所謂寝袋のような使用しかできない。寝袋状態で使用すると、エアーチャンバへの出入りは、行動しやすい身軽な服装であることが必要となり、特に、女性がスカートを着用したまま使用するのは困難である。また、けが人が出入りする際には、介護者の助けを必要とするなど、不便な場合が多い。
【０００５】
特許文献２に記載のものは、高気圧環境下となっている筐体を有し、筐体内で身体運動などが行われる高気圧筐体装置において、筐体は、箱状に組み込まれた複数のパネルと各パネルの少なくとも一面に延在された複数の補強フレームとを有する周壁と、周壁の内面を覆う気密性部材とを具備するものであり、各パネルには複数の補強フレームが固定されているため、各パネルの耐圧強度が向上するとともに、周壁の内面が気密性部材で覆われているため、周壁が内圧により多少変形する場合でも、筐体内の気密性が損なわれることを防止するとされている。しかし、特許文献２に記載のものでは、装置の構成が複雑となり、重量も重くなるため、設置する場所が限定されることから、簡便に使用することができない。
【０００６】
本発明は、以上の課題を解決するためになされたもので、使用者が椅子に座った状態で使用できるようにして利便性を高めつつ、使用者の荷重によって変形したり破損したりすることを防止することができるとともに、気密性を高いレベルで維持することが可能なエアーチャンバ装置を提供することを目的とする。
【課題を解決するための手段】
【０００７】
以上の課題を解決するために、本発明のエアーチャンバ装置は、シート状の可撓性材と、前記可撓性材の形状を保持するチャンバフレームとを備えたエアーチャンバと、前記エアーチャンバを支持して固定する固定架台とを有するエアーチャンバ装置であって、前記エアーチャンバは、その長手方向が、床面に対して垂直となるように立設され、または床面に垂直な方向に対して傾斜されて配置されていることを特徴とする。
【０００８】
シート状の可撓性材と、可撓性材の形状を保持するチャンバフレームとを備えたエアーチャンバを有しているため、エアーチャンバの重量を軽量化することができるとともに、エアーチャンバの形状を確実に保持することができる。
また、エアーチャンバは、その長手方向が、床面に対して垂直となるように立設され、または床面に垂直な方向に対して傾斜されて配置されているため、エアーチャンバ内で座った状態で使用することができ、利便性が高い。
【０００９】
本発明のエアーチャンバ装置においては、前記可撓性材に荷重伝達開口が設けられ、前記荷重伝達開口を貫通する荷重伝達バルブが、エアーチャンバ内に設置された椅子からの荷重を受ける椅子荷重支持フレームに取付られて、前記チャンバフレームと前記固定架台とが連結されていることが好ましい。
【００１０】
この構成により、椅子から椅子荷重支持フレームに与えられる使用者の荷重は、可撓性材に伝えられることなく、荷重伝達バルブを介して固定架台に伝達される。そのため、軽量化のために可撓性材を用いても、エアーチャンバの表面を覆う可撓性材が、使用者の荷重によって損傷を受けることがない。
【００１１】
本発明のエアーチャンバ装置においては、前記チャンバフレームにスライド引戸ガイドレールが取付られ、前記スライド引戸ガイドレールに回転吊戸車が取付られて、前記回転吊戸車の転動によってスライド引戸が開閉され、前記回転吊戸車に対して振止め戸車が取付られていることが好ましい。
【００１２】
エアーチャンバの長手方向が床面に垂直な方向に対して傾斜されて、エアーチャンバが配置されている場合には、スライド引戸も同様に傾斜し、スライド引戸の荷重の分力が、スライド引戸ガイドレールに沿う方向に発生するが、振止め戸車は、この方向の分力を受けることによって、この方向の応力を負担する。これにより、スライド引戸が傾斜しても、回転吊戸車は傾斜の影響を受けることなく、スライド引戸ガイドレール内をスムーズに転動することができ、スライド引戸の開閉動作に支障をきたすことがない。
【００１３】
本発明のエアーチャンバ装置においては、前記スライド引戸にはスライド引戸を開閉するためのレバーハンドルが取付られ、前記チャンバフレームのうち、前記スライド引戸が設けられる開口部の開口端に沿って、機密性を保つためにゴムパッキンが設けられ、前記チャンバフレームのスライド引戸縦枠フレームにレバーハンドル受けが設けられ、前記スライド引戸を回転すると、前記レバーハンドルの接合部が前記レバーハンドル受けに係止され、前記スライド引戸は前記ゴムパッキンと密着して前記レバーハンドルが閉じられた状態となる構造とすることができる。
【００１４】
レバーハンドルが閉じられた状態では、スライド引戸はゴムパッキンと密着しているため、エアーチャンバの機密性を確保することができる。
【発明の効果】
【００１５】
本発明によると、使用者が椅子に座った状態で使用できるようにして利便性を高めつつ、使用者の荷重によって変形したり破損したりすることを防止することができるとともに、気密性を高いレベルで維持することが可能なエアーチャンバ装置を実現することができる。
【図面の簡単な説明】
【００１６】
【図１】本発明の実施形態に係るエアーチャンバ装置の外観を示す図である。
【図２】エアーチャンバを構成するシート状の可撓性材の構造を示す図である。
【図３】エアーチャンバを構成するチャンバフレームの構造を示す図である。
【図４】エアーチャンバに配置される部材を示す図である。
【図５】エアーチャンバを支持して固定する固定架台の詳細を示す図である。
【図６】チャンバフレーム内に椅子が収納され、チャンバフレームと固定架台とが固定された状態の概観を示す図である。
【図７】チャンバフレームと固定架台との固定の詳細を示す図である。
【図８】（ａ）は、荷重伝達バルブを構成する各部品を示し、（ｂ）は、組み立て後の荷重伝達バルブを示す図である。
【図９】荷重伝達バルブを用いて荷重を伝達する手段を示す図である。
【図１０】エアーチャンバ装置の概観を示す図である。
【図１１】エアーチャンバ装置の概観を示す図である。
【図１２】エアーチャンバ装置の概観を示す図である。
【図１３】図１のスライド引戸の横断面を示す図である。
【図１４】スライド引戸の動作を説明する図である。
【図１５】スライド引戸の動作を説明する図である。
【図１６】スライド引戸を取り付ける前の状態図である。
【図１７】スライド引戸を取り付けた後の状態図である。
【図１８】レバーハンドルの操作説明図である。
【図１９】レバーハンドルの操作説明図である。
【図２０】エアーチャンバ装置の使用状態図である。
【発明を実施するための形態】
【００１７】
以下に、本発明をその実施形態に基づいて説明する。
図１に、本発明の実施形態に係るエアーチャンバ装置の外観を示す。
図１に示すように、エアーチャンバ装置１は、内部を高気圧に維持するエアーチャンバ２と、エアーチャンバ２を支持して固定する固定架台３とからなっている。固定架台３の内部には、図示しない酸素発生装置とコンプレッサが備えられている。
【００１８】
エアーチャンバ２は、シート状の可撓性材１０でその内部が覆われ、その一部に、使用者が出入りするためのスライド引戸１１が設けられている。スライド引戸１１の周囲には開口部スチール補強枠１２が配置され、開口部スチール補強枠１２が設けられた位置に可撓性材１０の折り返し補強部１３が形成されている。エアーチャンバ２には、エアーチャンバ２内部の気圧を調整する気圧調整弁１４と、エアーチャンバ２内部の気圧を測定する気圧計１５が設けられている。スライド引戸１１は、複数の窓１６を有している。この窓１６に透明素材が嵌め込まれる。
【００１９】
図２は、エアーチャンバ２を構成するシート状の可撓性材１０の構造を示しており、シート状の可撓性材１０は、スライド引戸１１が設けられる開口部２０を除いて、全体として円筒形となるように形成されている。可撓性材１０の上面には窓２１が設けられ、この窓２１に透明素材が嵌め込まれて、室内照明による光がエアーチャンバ２内に導入される。
【００２０】
スライド引戸１１が設けられる開口部２０の周囲には、折り返し補強部１３が形成されており、この折り返し補強部１３は、シート状の可撓性材１０と同質の素材で形成されている。可撓性材１０の下面には荷重伝達開口２２が設けられている。荷重伝達開口２２の機能については、後に詳述する。また、可撓性材１０の側面には、排気弁開口２３、気圧計開口２４、荷重伝達開口２２、気圧調整弁開口２５、酸素給気開口２６、エアー給気開口２７がそれぞれ設けられている。
【００２１】
図３は、エアーチャンバ２を構成するチャンバフレーム３０の構造を示しており、このチャンバフレーム３０は、図２に示すシート状の可撓性材１０の内部に配置されるものである。チャンバフレーム３０は全体として円筒形の形状であり、上面側と下面側にスライド引戸ガイドフレーム３１が設けられるとともに、椅子荷重支持フレーム３２が設けられている。側面側にはスライド引戸縦枠フレーム３３と椅子荷重支持フレーム３２が設けられている。さらに、全体の形状を維持するために、チャンバ形状保持フレーム３４が、スライド引戸１１が設けられる開口部３５を除いて、全体を覆うように形成されている。
【００２２】
図４は、エアーチャンバ２に配置される部材を示しており、図３に示すスライド引戸１１が設けられる開口部３５に対して、スライド引戸１１が取付られる。スライド引戸１１はアルミニウム等によって形成することができる。スライド引戸１１には窓１６が設けられており、スライド引戸１１の内部には、強度補強のための補強フレーム４３が設けられている。また、図３に示すスライド引戸ガイドフレーム３１に沿ってスライド引戸ガイドレール４０が取付られる。
【００２３】
エアーチャンバ２内には使用者が座るための椅子４１が配置され、この椅子４１はリクライニング機能を有している。椅子４１の下方には連結軸４２が設けられており、連結軸４２は、図３に示す椅子荷重支持フレーム３２に連結されてチャンバフレーム３０内に固定される。
【００２４】
図５は、エアーチャンバ２を支持して固定する固定架台３の詳細を示しており、ステンレスやスチール等によって形成された固定架台本体５０に対して３つの支持部５１が設けられている。それぞれの支持部５１の上端にはチャンバフレーム取付部材５２が取付られている。図２において、３つの荷重伝達開口２２を示しているが、チャンバフレーム取付部材５２はこれらの荷重伝達開口２２を通って、図３に示すチャンバフレーム３０の椅子荷重支持フレーム３２と連結される。これにより、チャンバフレーム３０と固定架台３とが固定される。
【００２５】
図６は、チャンバフレーム３０内に椅子４１が収納され、チャンバフレーム３０と固定架台３とが固定された状態の概観を示しており、椅子荷重支持フレーム３２に対してチャンバフレーム取付部材５２が取付られることによって、チャンバフレーム３０と固定架台３とが固定されている。
【００２６】
図７は、チャンバフレーム３０と固定架台３との固定の詳細を示しており、チャンバフレーム３０と固定架台３との連結部は、荷重伝達バルブ６０によって連結されている。この荷重伝達バルブ６０の詳細を図８に示す。
【００２７】
図８（ａ）は、荷重伝達バルブ６０を構成する各部品を示し、図８（ｂ）は、組み立て後の荷重伝達バルブ６０を示す。
両面ネジきりバルブ６１が、ゴムパッキン６３付きの座金６２に嵌め込まれて、可撓性材１０と同質の素材で補強された補強面６４に設けられた荷重伝達開口２２を貫通している。補強面６４は、可撓性材１０に対して荷重伝達開口２２を設けるにあたって、強度を補強するために設けられたものである。両面ネジきりバルブ６１に対して、ゴムパッキン６５付きの座金６６を介してバルブ固定ナット６７が取付られて固定されている。なお、図８に示す構造のバルブは、荷重伝達バルブ６０に限らず、他の用途のバルブとしても用いることができる。
【００２８】
図９は、図８に示す荷重伝達バルブ６０を用いて荷重を伝達する手段を示しており、図９（ａ）は、その分解図を示し、図９（ｂ）は、組み立て図を示す。
椅子荷重支持フレーム３２の上方に接合ボルト固定ナット７０が配置され、椅子荷重支持フレーム３２の下方にゴムパッキン７２付きの接合ボルト固定ナット７１が配置される。ゴムパッキン７２付きの接合ボルト固定ナット７１の下方に荷重伝達バルブ６０が配置された状態で、荷重伝達バルブ６０の下方から接合ボルト７３が挿入され、ゴムパッキン７２付きの接合ボルト固定ナット７１と椅子荷重支持フレーム３２を貫通して、接合ボルト７３は接合ボルト固定ナット７０により固定される。
【００２９】
接合ボルト７３にはボルト長調整ナット７４が取付られて、接合ボルト７３の長さが調整される。また、接合ボルト７３の下端には架台接合座金７５が取付られており、架台接合座金７５によって、接合ボルト７３と固定架台３とが接合される。
図９に示す構造により、椅子４１から椅子荷重支持フレーム３２に与えられる使用者の荷重は、可撓性材１０に伝えられることなく、荷重伝達バルブ６０を介して固定架台３に伝達される。
【００３０】
図１０から図１２に、エアーチャンバ装置１の概観を示す。図１０はスライド引戸１１を閉じた状態、図１１はスライド引戸１１を半分開いた状態、図１２はスライド引戸１１を全開した状態を示す。図１０から図１２において、（ａ）は上方から椅子４１を見た図、（ｂ）は正面図、（ｃ）は側面図である。
【００３１】
図１０から図１２の（ｂ）、（ｃ）に示すように、荷重伝達バルブ６０によって、エアーチャンバ装置１内の椅子４１に座った使用者の荷重は、固定架台３に直接的に伝達される。そのため、エアーチャンバ２の表面を覆う可撓性材１０が、使用者の荷重によって損傷を受けることがない。
エアーチャンバ装置１の側面には、排気弁バルブ８０、気圧計バルブ８１、気圧調整弁バルブ８２、酸素給気バルブ８３、エアー給気バルブ８４が取付けられている。これらのバルブは、図２において示した可撓性材１０の側面に設けられた、排気弁開口２３、気圧計開口２４、気圧調整弁開口２５、酸素給気開口２６、エアー給気開口２７に対して取付けられたものである。これらのバルブは、図８に示した荷重伝達バルブ６０と同様の構造とすることができる。排気弁バルブ８０、気圧計バルブ８１、気圧調整弁バルブ８２、酸素給気バルブ８３、エアー給気バルブ８４の取付についても、図８に示した構造のバルブを用いることにより、可撓性材１０に負担を与えることなく、エアーチャンバ２の機密性を保持することができる。
【００３２】
図１３は、図１のスライド引戸１１の横断面を示しており、図１３に基づいてスライド引戸１１とスライド引戸縦枠フレーム３３との接合部９０ａ、９０ｂについて説明する。
図１３においては、スライド引戸１１が図中の矢印の方向にスライドして開く場合を想定しており、チャンバフレーム３０のスライド引戸縦枠フレーム３３と可撓性材１０とは、ゴムパッキン９１と折り返し補強部１３と可撓性材押え９２を挟み込んでリベット９３により固定されている。スライド引戸縦枠フレーム３３には、スライド引戸縦枠フレーム補強リブ９４が設けられている。可撓性材押え９２はステンレスやスチール等によって形成することができる。
【００３３】
スライド引戸１１とスライド引戸縦枠フレーム３３とは、ゴムパッキン９５を介して対向している。スライド引戸１１の開閉動作時には、スライド引戸１１とゴムパッキン９５との間には空隙を有しており、スライド引戸１１の閉鎖時には、スライド引戸１１とゴムパッキン９５とは密着している。これについては後に詳述する。
スライド引戸１１は断面が円弧状であり、使用者がエアーチャンバ装置１内に入るときは、スライド引戸１１の外周側に設けられた外部引手９６を用いて、スライド引戸１１を開く。また、エアーチャンバ装置１内にいる使用者が外部に出るときは、レバーハンドル９７を用いて、スライド引戸１１を開く。レバーハンドル９７の動作の詳細については、後に詳述する。
【００３４】
図１４、図１５を用いて、スライド引戸１１の動作について説明する。
図１４はエアーチャンバ装置１の側面図であり、エアーチャンバ２は、その長手方向が、床面に接する固定架台本体５０に垂直な方向、すなわち床面に垂直な方向に対して、所定の傾斜角をなすように傾斜して固定架台３に取付られている。この傾斜角は２５°程度としている。
【００３５】
図１５（ａ）は、図１４のＡ−Ａ断面を示し、図１５（ｂ）は、図１５（ａ）のＢ−Ｂ断面を示す。
スライド引戸１１の上方および下方にはスライド引戸ガイドレール４０が設けられ、スライド引戸ガイドレール４０に対して転動する回転吊戸車１００が取付られている。この回転吊戸車１００に対して、振止め戸車１０１が取付られている。
【００３６】
エアーチャンバ２が床面に垂直な方向に対して傾斜しているため、スライド引戸１１も同様に傾斜している。そのため、スライド引戸１１の荷重の分力が、スライド引戸ガイドレール４０に沿う方向に発生するが、振止め戸車１０１は、この方向の分力を受けることによって、スライド引戸ガイドレール４０の下方側端に接することにより、この方向の応力を負担する。これにより、スライド引戸１１が傾斜しても、回転吊戸車１００は傾斜の影響を受けることなく、スライド引戸ガイドレール４０内をスムーズに転動することができ、スライド引戸１１の開閉動作に支障をきたすことがない。  
【００３７】
スライド引戸１１が傾斜していると、図１３に示した接合部９０ｂにおいて、スライド引戸１１の開閉時に、スライド引戸１１とゴムパッキン９５との間のクリアランスが必然的に保たれる。そのため、スライド引戸１１の開閉動作を頻繁に行っても、ゴムパッキン９５が摩耗することがなく、耐久性が向上する。
【００３８】
図１６は、スライド引戸１１を取り付ける前の状態図であり、図１７は、スライド引戸１１を取り付けた後の状態図である。図１６、図１７において、（ａ）は上方から椅子を見た図、（ｂ）は内部展開図である。
図１６に示すように、スライド引戸ガイドフレーム３１とスライド引戸縦枠フレーム３３とによって形成される開口端に沿って、機密性を保つためにゴムパッキン９５が設けられている。また、ゴムパッキン９５の外周側に沿ってリベット接合用開口１１０が設けられている。このリベット接合用開口１１０は、図１３に示すリベット９３を挿入して固定するためのものである。スライド引戸縦枠フレーム３３には、レバーハンドル受け１１１が設けられている。
【００３９】
図１７に示すように、スライド引戸１１には、レバーハンドル１１２が取付られている。このレバーハンドル１１２は、スライド引戸１１を閉めた状態においては、スライド引戸縦枠フレーム３３に設けられたレバーハンドル受け１１１に係止されている。これについては、後に詳述する。
【００４０】
図１８，図１９に基づいて、レバーハンドル１１２の操作について説明する。
図１８、図１９において、（ａ）は図１５（ｂ）の断面図、（ｂ）は（ｃ）におけるＥ断面図、（ｃ）は図１７（ｂ）におけるＤ側面図を示す。
図１８は、レバーハンドル１１２を閉じる前の状態図であり、スライド引戸１１とゴムパッキン９５との間に空隙を生じている。これに対し、図１９に示すように、スライド引戸１１を回転して、レバーハンドル１１２の接合部１２０が、スライド引戸縦枠フレーム３３に設けられたレバーハンドル受け１１１に係止するようにすると、レバーハンドル１１２が閉じられた状態となり、スライド引戸１１がスライド引戸縦枠フレーム３３に接近し、スライド引戸１１はゴムパッキン９５と密着する。これにより、エアーチャンバ２内の気密性が保たれる。
【００４１】
図２０は、エアーチャンバ装置１の使用状態図である。図２０（ａ）に示すように、エアーチャンバ２を、その長手方向が床面に対して垂直となるように立設してもよいが、図２０（ｂ）に示すように、床面に垂直な方向に対して傾斜させて配置することもできる。エアーチャンバ２内には高気圧のエアーが充填されており、短時間にエアーを充填するためには、エアーチャンバ２が小さいことが好ましいが、そうすると図２０（ａ）に示す配置では、使用者１３０は足を伸ばすことができず、窮屈な思いをすることとなる。これに対し、図２０（ｂ）に示すように、エアーチャンバ２を傾斜させると、エアーチャンバ２に空間余力が生じ、使用者１３０は足を伸ばすことができ、窮屈な思いをすることがない。
【産業上の利用可能性】
【００４２】
本発明は、使用者が椅子に座った状態で使用することができ、使用者の荷重によって変形したり破損したりすることを防止することができるとともに、気密性を高いレベルで維持することが可能なエアーチャンバ装置として利用することができる。
【符号の説明】
【００４３】
１  エアーチャンバ装置
２  エアーチャンバ
３  固定架台
１０  可撓性材
１１  スライド引戸
１２  開口部スチール補強枠
１３  折り返し補強部
１４  気圧調整弁
１５  気圧計
１６  窓
２０  スライド引戸が設けられる開口部
２１  窓
２２  荷重伝達開口
２３  排気弁開口
２４  気圧計開口
２５  気圧調整弁開口
２６  酸素給気開口
２７  エアー給気開口
３０  チャンバフレーム
３１  スライド引戸ガイドフレーム
３２  椅子荷重支持フレーム
３３  スライド引戸縦枠フレーム
３４  チャンバ形状保持フレーム
３５  スライド引戸が設けられる開口部
４０  スライド引戸ガイドレール
４１  椅子
４２  連結軸
４３  補強フレーム
５０  固定架台本体
５１  支持部
５２  チャンバフレーム取付部材
６０  荷重伝達バルブ
６１  両面ネジきりバルブ
６２、６６  座金
６３、６５  ゴムパッキン
６４  補強面
６７  バルブ固定ナット
７０  接合ボルト固定ナット
７１  接合ボルト固定ナット
７２  ゴムパッキン
７３  接合ボルト
７４  ボルト長調整ナット
７５  架台接合座金
８０  排気弁バルブ
８１  気圧計バルブ
８２  気圧調整弁バルブ
８３  酸素給気バルブ
８４  エアー給気バルブ
９０ａ、９０ｂ  接合部
９１  ゴムパッキン
９２  可撓性材押え
９３  リベット
９４  スライド引戸縦枠フレーム補強リブ
９５  ゴムパッキン
９６  外部引手
９７  レバーハンドル
１００  回転吊戸車
１０１  振止め戸車
１１０  リベット接合用開口
１１１  レバーハンドル受け
１１２  レバーハンドル
１２０  接合部
１３０  使用者
【図１】
2010213753.tif 000003
【図２】
2010213753.tif 000004
【図３】
2010213753.tif 000005
【図４】
2010213753.tif 000006
【図５】
2010213753.tif 000007
【図６】
2010213753.tif 000008
【図７】
2010213753.tif 000009
【図８】
2010213753.tif 000010
【図９】
2010213753.tif 000011
【図１０】
2010213753.tif 000012
【図１１】
2010213753.tif 000013
【図１２】
2010213753.tif 000014
【図１３】
2010213753.tif 000015
【図１４】
2010213753.tif 000016
【図１５】
2010213753.tif 000017
【図１６】
2010213753.tif 000018
【図１７】
2010213753.tif 000019
【図１８】
2010213753.tif 000020
【図１９】
2010213753.tif 000021
【図２０】
2010213753.tif 000022